(57)【要約】バックオフメカニズムを修正することで重複基本サービスセット（ＯＢＳＳ）環境においてトラフィック伝送をスケジュールする際の遅延を低減するための技法が開示される。いくつかの例では、デバイス（たとえば、局（ＳＴＡ）またはアクセスポイント（ＡＰ））は、受信されたパケットがＯＢＳＳのメンバ（たとえば、異なるＢＳＳからのＳＴＡまたはＡＰ）によって送られたかを決定するために、このパケットのプリアンブルの少なくとも一部を復号し得る。バックオフ動作は、典型的に、復号することの結果として延期される。本開示の態様は、ネットワーク割振りベクトル（ＮＡＶ）によってＯＢＳＳパケットのために確保されている期間の満了より前にバックオフ動作を再開することで、トラフィック伝送をスケジュールする際の遅延を低減する方法、装置、およびシステムを提供する。換言すると、デバイスは、ＯＢＳＳパケットのＮＡＶを遵守せず、代わりに、このＯＢＳＳパケットのＮＡＶ中に同じ周波数チャネル上で別のパケット（または、信号）送信することで空間再利用を実行し得る。【選択図】  図３
2018523951.tif 000002
【特許請求の範囲】
【請求項１】
ワイヤレス通信のための方法であって、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、
前記復号の開始に応答して、バックオフ動作を延期することと、
前記パケットが前記ＯＢＳＳの前記メンバによって送られたとの決定に応答して、前記バックオフ動作を再開することと、ここにおいて、前記バックオフ動作は、前記パケットの終了前に再開される、
を備える方法。
【請求項２】
前記第１のデバイスによって、前記バックオフ動作の満了後に信号を送信すること
をさらに備える、請求項１に記載の方法。
【請求項３】
前記バックオフ動作は、前記パケットが前記ＯＢＳＳの前記メンバによって送られたとの前記決定からフレーム間隔後に再開される、請求項１に記載の方法。
【請求項４】
前記フレーム間隔は、アービトレイションフレーム間間隔（ＡＩＦＳ）である、請求項３に記載の方法。
【請求項５】
前記フレーム間隔は、前記バックオフが再開されるときＡＩＦＳより短い、請求項３に記載の方法。
【請求項６】
前記フレーム間隔の値および前記ＡＩＦＳの値は、アクセスクラスに基づく、請求項５に記載の方法。
【請求項７】
前記フレーム間隔は、前記パケットが前記ＯＢＳＳの前記メンバによって送られたとの前記決定の後に追加の遅延なしに前記バックオフ動作が再開することを可能にするためにゼロに設定される、請求項３に記載の方法。
【請求項８】
前記プリアンブルの持続時間または前記プリアンブルの前記一部を復号するのにかかった時間に少なくとも部分的に基づいて、前記バックオフ動作の残り時間を低減すること
をさらに備える、請求項１に記載の方法。
【請求項９】
前記バックオフ動作の前記残り時間は、前記復号の前記開始に応答して前記バックオフ動作が延期されるとき、前記バックオフ動作を完了するために残された時間である、請求項８に記載の方法。
【請求項１０】
前記パケットが前記ＯＢＳＳの前記メンバによって送られたとの前記決定に応答して、疑似ランダム時間期間を、前記バックオフ動作の残り時間に加えることをさらに備える、ここにおいて、前記バックオフ動作を再開することは、前記疑似ランダム時間期間によって修正された前記残り時間に基づいて、前記バックオフ動作を再開することを備える、
請求項１に記載の方法。
【請求項１１】
前記パケットが前記ＯＢＳＳの前記メンバによって送られたとの前記決定に応答して、前記バックオフ動作を再開するときにどのプロシージャを使用するかを識別するメッセージを第２のデバイスから受信すること
をさらに備える、請求項１に記載の方法。
【請求項１２】
前記パケットの前記プリアンブルの少なくとも前記一部を復号することは、
前記パケットの前記プリアンブル中の一意的なシーケンスを識別することと、
前記一意的なシーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を備える、請求項１に記載の方法。
【請求項１３】
前記バックオフ動作を再開することは、
前記パケットの終了まで、ワイヤレス媒体がアイドルであるかビジーであるかを決定するためにクリアチャネルアセスメント（ＣＣＡ）プロシージャを実行すること
を備える、請求項１に記載の方法。
【請求項１４】
前記パケットの前記終了前に前記バックオフ動作を再開することは、前記ＯＢＳＳパケットに関連付けられたネットワーク割振りベクトル（ＮＡＶ）の満了前に前記バックオフ動作を再開することを備える、請求項１に記載の方法。
【請求項１５】
ワイヤレス通信のための装置であって、
プロセッサと、
前記プロセッサに結合されたメモリと、
を備え、ここにおいて、前記メモリは、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、
前記復号の開始に応答して、バックオフ動作を延期することと、
前記パケットが前記ＯＢＳＳの前記メンバによって送られたとの決定に応答して、前記バックオフ動作を再開することと、ここにおいて、前記バックオフ動作は、前記パケットの終了前に再開される、
を行うために前記プロセッサによって実行可能な命令を含む、装置。
【請求項１６】
前記命令は、
前記第１のデバイスによって、前記バックオフ動作の満了後に信号を送信すること
を行うために前記プロセッサによってさらに実行可能である、請求項１５に記載の装置。
【請求項１７】
前記バックオフ動作は、前記パケットが前記ＯＢＳＳの前記メンバによって送られたとの前記決定からフレーム間隔後に再開される、請求項１５に記載の装置。
【請求項１８】
前記フレーム間隔は、アービトレイションフレーム間間隔（ＡＩＦＳ）である、請求項１７に記載の装置。
【請求項１９】
前記フレーム間隔は、前記バックオフが再開されるときＡＩＦＳより短い、請求項１７に記載の装置。
【請求項２０】
前記フレーム間隔の値および前記ＡＩＦＳの値は、アクセスクラスに基づく、請求項１９に記載の装置。
【請求項２１】
前記フレーム間隔は、前記パケットが前記ＯＢＳＳの前記メンバによって送られたとの前記決定の後に追加の遅延なしに前記バックオフ動作が再開することを可能にするためにゼロに設定される、請求項１７に記載の装置。
【請求項２２】
前記命令は、
前記プリアンブルの持続時間または前記プリアンブルの前記一部を復号するのにかかった時間に少なくとも部分的に基づいて、前記バックオフ動作の残り時間を低減すること
を行うために前記プロセッサによってさらに実行可能である、請求項１５に記載の装置。
【請求項２３】
前記バックオフ動作の前記残り時間は、前記復号の前記開始に応答して前記バックオフ動作が延期されるとき、前記バックオフ動作を完了するために残された時間である、請求項２２に記載の装置。
【請求項２４】
前記命令は、
前記パケットが前記ＯＢＳＳの前記メンバによって送られたとの前記決定に応答して、疑似ランダム時間期間を、前記バックオフ動作の残り時間に加えること、ここにおいて、前記バックオフ動作を再開することは、前記疑似ランダム時間期間によって修正された前記残り時間に基づいて、前記バックオフ動作を再開することを備える、
を行うために前記プロセッサによってさらに実行可能である、請求項１５に記載の装置。
【請求項２５】
前記命令は、
前記パケットが前記ＯＢＳＳの前記メンバによって送られたとの前記決定に応答して、前記バックオフ動作を再開するときにどのプロシージャを使用するかを識別するメッセージを第２のデバイスから受信すること
を行うために前記プロセッサによってさらに実行可能である、請求項１５に記載の装置。
【請求項２６】
前記パケットの前記プリアンブルの少なくとも前記一部を復号するための前記命令は、
前記パケットの前記プリアンブル中の一意的なシーケンスを識別することと、
前記一意的なシーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を行うために前記プロセッサによってさらに実行可能である、請求項１５に記載の装置。
【請求項２７】
前記バックオフ動作を再開するための前記命令は、
前記パケットの終了まで、ワイヤレス媒体がアイドルであるかビジーであるかを決定するためにクリアチャネルアセスメント（ＣＣＡ）プロシージャを実行すること
を行うために前記プロセッサによってさらに実行可能である、請求項１５に記載の装置。
【請求項２８】
前記命令は、前記ＯＢＳＳパケットに関連付けられたネットワーク割振りベクトル（ＮＡＶ）の満了前に前記バックオフ動作を再開することを行うために前記プロセッサによってさらに実行可能である、請求項１５に記載の装置。
【請求項２９】
ワイヤレス通信のための装置であって、
第１のデバイスで、パケットを受信するための手段と、
前記パケットが重複基本サービスセット（ＯＢＳＳ）のメンバによって送られたかを決定するために、前記パケットのプリアンブルの少なくとも一部を復号するための手段と、
前記復号の開始に応答して、バックオフ動作を延期するための手段と、
前記パケットが前記ＯＢＳＳの前記メンバによって送られたとの決定に応答して前記バックオフ動作を再開するための手段と、ここにおいて、前記バックオフ動作は、前記パケットの終了前に再開される、
を備える装置。
【請求項３０】
ワイヤレス通信のためのコンピュータ読取可能な媒体であって、
第１のデバイスで、パケットを受信するためのコードと、
前記パケットが重複基本サービスセット（ＯＢＳＳ）のメンバによって送られたかを決定するために、前記パケットのプリアンブルの少なくとも一部を復号するためのコード、
前記復号の開始に応答して、バックオフ動作を延期するためのコードと、
前記パケットが前記ＯＢＳＳの前記メンバによって送られたとの決定に応答して、前記バックオフ動作を再開するためのコードと、ここにおいて、前記バックオフ動作は、前記パケットの終了前に再開される、
を備えるコンピュータ読取可能な媒体。
【発明の詳細な説明】
【米国特許法１２０条に基づく優先権の主張】
【０００１】
[0001]本願は、２０１６年８月１７日に出願された「BACKOFF MECHANISM TECHNIQUES FOR SPATIAL REUSE」と題する非仮出願第１５／２３９，６１９号および２０１５年８月２０日に出願された「BACKOFF MECHANISM TECHNIQUES FOR SPATIAL REUSE」と題する仮出願第６２／２０７，７９０号の優先権を主張し、それらは、それらの譲受人に譲渡され、これによって、本明細書に明確に参照により組み込まれる。
【背景技術】
【０００２】
[0002]本開示は一般に、電気通信に関し、具体的には、空間再利用のためのバックオフメカニズム技法に関する。
【０００３】
[0003]家、オフィス、および様々な公共施設におけるワイヤレスローカルエリアネットワーク（ＷＬＡＮ）の展開は、今日ではありふれている。そのようなネットワークは典型的に、特定の場所（たとえば、家、オフィス、公共施設、等）にある多数のワイヤレス局（ＳＴＡ）を、インターネット等の別のネットワークに接続するワイヤレスアクセスポイント（ＡＰ）を用いる。ＳＴＡのセットは、基本サービスセット（ＢＳＳ）と呼ばれるものにおける共通のＡＰを通じて互いに通信することができる。しかしながら、関係がない２つ以上のＢＳＳが互いを聞くのに十分に近くにあり、かつ、同じ周波数で動作しているとき（たとえば、多数のＢＳＳにサービス提供する複数のＡＰが互いに対して近傍に存在し得る多居住セッティング）、１つのＢＳＳ内のいくつかのＳＴＡによる送信は、別のＢＳＳ内のＳＴＡに影響を与え得る。ゆえに、いくつかの例では、近くのＢＳＳは、重複したカバレッジエリアを有し得、そのようなＢＳＳは、重複ＢＳＳまたはＯＢＳＳと呼ばれ得る。
【０００４】
[0004]いくつかのＷＬＡＮネットワーク展開は、密集し得（たとえば、多数のＳＴＡが複数のＡＰのカバレッジエリア内に展開されており）、これは、チャネルまたは媒体使用に関する問題をもたらし得る。重複ＢＳＳによって引き起こされるＳＴＡ間の衝突および干渉により、チャネルリソースは、必要以上に浪費され得る。たとえば、いくつかの例では、１つまたは複数のＳＴＡまたはＡＰは、異なるＳＴＡまたはＡＰを対象としたパケットをＯＢＳＳから受信し得る。それにもかかわらず、受信ＳＴＡまたはＡＰは、受信されたパケットを復号するリソースを消費してしまう。復号プロセス中、ＳＴＡおよび／またはＡＰは一般に、ワイヤレスチャネルまたは媒体上でのそれ自体の送信をスケジュールすること、または、送信するのに必要なバックオフプロセスを継続することができない。トラフィック伝送をスケジュールする際のそのような遅延は、ＳＴＡおよび／またはＡＰが経験するスループットレートの低減をもたらし得る。
【発明の概要】
【０００５】
[0005]本開示は、ＯＢＳＳ環境においてワイヤレス通信を管理する（manage）ための技法に関する様々な態様を提供する。いくつかの例では、デバイス（たとえば、ＳＴＡまたはＡＰ）は、ワイヤレスチャネルを通してパケットを受信し得、その後、パケットがＯＢＳＳのメンバ（たとえば、デバイスのものとは異なるＢＳＳからのＳＴＡまたはＡＰ）によって送られたかを決定するために、パケットのプリアンブルの少なくとも一部を復号し得る。復号プロセス中、バックオフ動作（たとえば、バックオフ時間期間または時間インターバル）は、この復号の結果を待つ間、延期または中断され得る。本開示のいくつかの態様では、ＳＴＡまたはＡＰは、パケットがＯＢＳＳのメンバによって送られたとの、かつ、１つまたは複数の再利用基準が満たされる（たとえば、パケットの受信信号強度インジケーション（ＲＳＳＩ）が閾値を下回り得る）との決定に応答して、可能な限り早くバックオフ動作を再開することで、送信待ちトラフィックを送信する際の遅延を低減し得る。
【０００６】
[0006]具体的には、１つよりも多くのデバイスによる周波数チャネルの再利用（たとえば、空間再利用）を高めるために、本開示の態様は、特定の状況ではＯＢＳＳからのパケットを破棄するための方法を提供する。たとえば、受信されたパケットがＯＢＳＳパケットであると決定され、かつ、１つまたは複数の再利用基準が満たされる（たとえば、パケットのＲＳＳＩが閾値を下回り得る）場合、受信デバイスは、周波数チャネル上での他の送信待ちパケットの送信をスケジュールするために、このパケットの残りの部分（たとえば、パケットペイロード）を無視し、受信デバイスのバックオフ動作を再開し得る。いくつかの態様では、パケットの送信は、ＯＢＳＳパケットのネットワーク割振りベクトル（ＮＡＶ）中に発生し得る。
【０００７】
[0007]本開示のいくつかの態様では、ワイヤレス通信のための方法が提供される。方法は、第１のデバイスで、パケットを受信することと、パケットがＯＢＳＳのメンバによって送られたかを決定するために、パケットのプリアンブルの少なくとも一部を復号することとを備え得る。いくつかの態様では、バックオフ動作は、復号の開始に応答して延期され得る。方法は、パケットがＯＢＳＳのメンバによって送られたとの、および、１つまたは複数の基準に基づいて媒体の再利用が許可されるとの決定に応答してバックオフ動作を再開することをさらに含み得る。バックオフ動作は、パケットの終了前に再開され得る。
【０００８】
[0008]別の態様では、ワイヤレス通信のための装置が提供される。装置は、プロセッサと、このプロセッサに結合されたメモリとを含み得る。いくつかの例では、メモリは、第１のデバイスで、パケットを受信することと、パケットがＯＢＳＳのメンバによって送られたかを決定するためにパケットのプリアンブルの少なくとも一部を復号することとを行うようにプロセッサによって実行可能な命令を含み得る。いくつかの例では、バックオフ動作は、復号の開始に応答して延期され得る。命令は、パケットがＯＢＳＳのメンバによって送られたとの、および、１つまたは複数の基準に基づいて媒体の再利用が許可されるとの決定に応答してバックオフ動作を再開することを行うようにプロセッサによってさらに実行可能であり得る。バックオフ動作は、パケットの終了前に再開され得る。
【０００９】
[0009]いくつかの態様では、ワイヤレス通信のための別の装置が提供される。装置は、第１のデバイスで、パケットを受信することと、パケットがＯＢＳＳのメンバによって送られたかを決定するために、パケットのプリアンブルの少なくとも一部を復号することとを行うための手段を含み得る。いくつかの例では、バックオフ動作は、復号の開始に応答して延期され得る。装置は、パケットがＯＢＳＳのメンバによって送られたとの、および、１つまたは複数の基準に基づいて媒体の再利用が許可されるとの決定に応答してバックオフ動作を再開するための手段をさらに含む。バックオフ動作は、パケットの終了前に再開され得る。
【００１０】
[0010]いくつかの態様では、ワイヤレス通信のためのコンピュータ読取可能な媒体が提供される。コンピュータ読取可能な媒体は、第１のデバイスで、パケットを受信することと、パケットがＯＢＳＳのメンバによって送られたかを決定するために、パケットのプリアンブルの少なくとも一部を復号することとを行うためのコードを含み得る。いくつかの例では、バックオフ動作は、復号の開始に応答して延期され得る。コンピュータ読取可能な媒体は、パケットがＯＢＳＳのメンバによって送られたとの、および、１つまたは複数の基準に基づいて媒体の再利用が許可されるとの決定に応答するためのコードをさらに含み得る。バックオフ動作は、パケットの終了前に再開され得る。
【００１１】
[0011]装置および方法の他の態様が、以下の詳細な説明から当業者に容易に明らかとなるであろうこと、ここにおいて、装置および方法の様々な態様は、例示によって示されるおよび説明される、は理解される。認識されるように、これらの態様は、他のおよび異なる形式で実施され得、そのいくつかの詳細は、様々な他の点で修正が可能である。したがって、図面および詳細な記述は、本質的に例示的であり、限定的であるとみなされるべきではない。
【００１２】
[0012]装置および方法の様々な態様は、添付の図面を参照して、限定ではなく例として、発明の詳細な説明で提示されるであろう。
【図面の簡単な説明】
【００１３】
【図１】[0013]図１は、ワイヤレスローカルエリアネットワーク（ＷＬＡＮ）展開の例を例示する概念図である。
【図２Ａ】[0014]図２Ａは、ＯＢＳＳパケットの処理に関連付けられたタイミング図を例示する関連技術の例である。
【図２Ｂ】[0015]図２Ｂは、本開示の様々な態様のタイミング図を例示する。
【図２Ｃ】図２Ｃは、本開示の様々な態様のタイミング図を例示する。
【図２Ｄ】図２Ｄは、本開示の様々な態様のタイミング図を例示する。
【図２Ｅ】図２Ｅは、本開示の様々な態様のタイミング図を例示する。
【図３】[0016]図３は、本開示の様々な態様に係る、送信遅延を低減する方法を例示するフローチャートである。
【図４Ａ】[0017]図４Ａは、本開示の様々な態様を実施し得るＳＴＡおよびＡＰの態様を含むデバイスの略図である。
【図４Ｂ】図４Ｂは、本開示の様々な態様を実施し得るＳＴＡおよびＡＰの態様を含むデバイスの略図である。
【図５】[0018]図５は、本開示の様々な態様に係る、ＯＢＳＳ環境におけるトラフィック伝送の遅延を低減するための態様を示すフローチャートの例を例示する。
【発明の詳細な説明】
【００１４】
[0019]様々な概念は、添付の図面を参照して以下により十分に説明されるであろう。しかしながら、これらの概念は、当業者によって多くの異なる形式で具現化され得、本明細書で提示される任意の特定の構造または機能に限られると解釈されるべきではない。むしろ、これらの概念は、本開示が十分で完全となり、これらの概念の範囲を当業者に十分に伝えることとなるように提供される。発明の詳細な説明は、特定の詳細を含み得る。しかしながら、これらの概念がこれらの特定の詳細なしに実施され得ることは当業者には明らかになるであろう。いくつかの事例では、本開示全体にわたって提示される様々な概念を曖昧にしないために、周知の構造および構成要素はブロック図の形式で示される。
【００１５】
[0020]上述したように、いくつかのＷＬＡＮネットワーク展開は、密集し得（たとえば、多数のＳＴＡが複数のＡＰのカバレッジエリア内に展開されており）、これは、チャネルまたは媒体使用に関する問題をもたらし得る。上述した例では、１つまたは複数のＳＴＡまたはＡＰは、受信デバイス（たとえば、ＳＴＡまたはＡＰ）とは異なる基本サービスセット（ＢＳＳ）における異なるＳＴＡまたはＡＰを対象とし得るパケットを重複ＢＳＳ（ＯＢＳＳ）のメンバから受信し得る。それにもかかわらず、受信デバイス（たとえば、ＳＴＡまたはＡＰ）は、受信されたＯＢＳＳパケットを復号するリソースを消費し得る。復号プロセス中、ＳＴＡおよび／またはＡＰは、一般に、ワイヤレスチャネルまたは媒体上でそれ自体の送信をスケジュールすることができない。具体的には、特定のＯＢＳＳのパケットを受信すると、１つまたは複数のデバイスは、一般に、ネットワーク割振りベクトル（ＮＡＶ）を通じてまたは受信されたパケットのプリアンブル中の持続時間フィールドを通じて、このＯＢＳＳパケットのためのチャネル上の確保された期間を遵守する（honor）。換言すると、受信されたパケットが異なるデバイスを対象としたＯＢＳＳパケットであると決定した後であっても、受信デバイスは、ＯＢＳＳパケットに関連付けられたチャネルによって確保された期間が満了するようなときまで、バックオフ動作を延期し続け得る。しかしながら、トラフィック伝送をスケジュールする際のそのような拡張された遅延は、デバイス（たとえば、ＳＴＡまたはＡＰ）のための送信機会（ＴＸＯＰ）の数を低減させ得、それよって、ＳＴＡおよび／またはＡＰによる乏しいスループットレート経験の一因となる。いくつかのケースでは、多数のＯＢＳＳパケットがデバイスで受信される場合、複数の受信されたパケットがＯＢＳＳからのものであるかを決定するためにこれらのパケットの各々を復号および処理するのに必要とされる時間は、送信に利用可能な時間に悪影響を与え得るほどに大きい可能性があり、そのため、性能全体に影響を与える。
【００１６】
[0021]本開示は、ＯＢＳＳ環境における空間再利用のためのバックオフメカニズム技法に関する様々な態様を提供する。いくつかの態様では、パケットを受信するデバイス（たとえば、ＳＴＡまたはＡＰ）は、パケットがＯＢＳＳのメンバ（たとえば、異なるＢＳＳからのＳＴＡまたはＡＰ）によって送られたかを決定するためにパケットのプリアンブルの少なくとも一部を復号し得る。復号プロセス中、バックオフ動作（たとえば、バックオフ時間期間）は、この復号の結果を待つ間、延期または中断され得る。本明細書で説明する場合、「バックオフ動作」という用語は、ＳＴＡまたはＡＰがチャネルまたは媒体にアクセスしようと試みる前に指定された時間インターバルまたは時間期間待機するプロセスを指し得る。「バックオフ動作」という用語はまた、ネットワーク輻輳回避の一部として再送信に間隔をもたせるために使用される技法に関連付けられ得る。そのような技法の例は、衝突の後に、さらなる衝突が起こるのを回避するように再送信をスケジュールするために許容域内のランダム値が選択される指数関数バックオフアルゴリズムである。いくつかの例では、ＩＥＥＥ８０２．１１規格は、チャネルアクセスメカニズムを定義し得、これは、ワイヤレスネットワークにおいて限られたチャネルリソースにアクセスしようと試みる複数のデバイスを協調させるために、コンテンションベースの自律分散制御（ＤＣＦ：distributed coordination function）およびコンテンションフリーの集中制御（ＰＣＦ：point coordination function）を含む。ＤＣＦでは、デバイス（たとえば、ＳＴＡまたはＡＰ）は、分散方式でチャネルアクセスを求めて競争し、ＰＣＦは、ＡＰに存在するポイント・コーディネータ（ＰＣ：point coordinator）によって実行され得る。
【００１７】
[0022]いくつかの態様では、チャネルアクセスは、ＤＣＦフレーム間スペース（ＤＩＦＳ）／ＰＣＦフレーム間スペース（ＰＩＦＳ）およびショートフレーム間スペース（ＳＩＦＳ）のようなフレーム間スペースを通じて管理され得る（govern）。ゆえに、いくつかの例では、デバイスは、スケジュールされた送信のためにワイヤレス媒体にアクセスする前にＤＩＦＳ／ＰＩＦＳ持続時間の間のワイヤレス媒体の状態（すなわち、媒体がアイドルであるかビジーであるか）を検知し得る。ＳＩＦＳは、ワイヤレスインターフェースが、受信されたフレームを処理し、応答フレームで応答するのに必要とされる（マイクロ秒単位の）時間量であり得る。ゆえに、いくつかの態様では、ＳＩＦＳは、肯定応答（ＡＣＴ）、送信可（ＣＴＳ）フレーム、ブロックＡＣＫフレーム、等の送信より前に必要とされるフレーム間間隔であり得る。いくつかの態様では、アービトレイションフレーム間間隔（ＡＩＦＳ）が、送信されているフレーム間の必要な時間インターバルを決定するために使用され得る。
【００１８】
[0023]上の例に戻り、ＳＴＡおよびＡＰのようなデバイスは一般に、受信されたパケットの復号中、バックオフ動作を延期または中断する。本開示のいくつかの態様では、ＳＴＡまたはＡＰは、パケットがＯＢＳＳのメンバによって送られたとの、かつ、１つまたは複数の再利用基準が満たされる（たとえば、パケットのＲＳＳＩが閾値を下回り得る）との決定に応答して直ぐにバックオフ動作を再開することで、ワイヤレス媒体上で送信をスケジュールする際の遅延を低減し得る。たとえば、バックオフカウンタまたはタイマは、復号している間中断され得、その後、復号がパケットをＯＢＳＳパケットであると識別し、かつ、再利用基準が満たされる場合、再開され得る。いくつかの例では、バックオフ動作は、ＯＢＳＳパケットの終了前に再開し得る。具体的には、周波数チャネルの再利用を高めるために、ＳＴＡおよび／またはＡＰは、いくつかの状況では、ＯＢＳＳからの「パケットを破棄」し得る。たとえば、パケットを受信すると、受信デバイス（たとえば、ＳＴＡまたはＡＰ）は、受信されたパケットのＢＳＳ ＩＤを決定し得る。受信されたパケットのＢＳＳ ＩＤが、ＳＴＡまたはＡＰが属するＢＳＳのＢＳＳ ＩＤと一致しない場合、受信デバイスは、ＯＢＳＳパケットを「破棄」し得る。換言すると、デバイスは、ＯＢＳＳパケットの残りの部分を無視し、ゆえに、ＯＢＳＳパケットに関連付けられた持続時間フィールドまたはＮＡＶを遵守しないことを選び得る。いくつかの例では、受信デバイスは、むしろ日和見的に、ＯＢＳＳパケットのＮＡＶ中、周波数チャネル上で別のパケットを送信し得る。
【００１９】
[0024]図１は、本明細書で説明される様々な技法に関連するワイヤレスローカルエリアネットワーク（ＷＬＡＮ）展開の例を例示する概念図１００である。ＷＬＡＮは、１つまたは複数のアクセスポイント（ＡＰ）と、それぞれのＡＰに関連付けられた１つまたは複数のモバイル局（ＳＴＡ）とを含み得る。この例では、基本サービスセット１（ＢＳＳ１）中のＡＰ１ １０５−ａと、ＯＢＳＳと呼ばれ得るＢＳＳ２中のＡＰ２ １０５−ｂという２つのＡＰが展開されている。ＡＰ１ １０５−ａは、少なくとも２つの関連したＳＴＡ（ＳＴＡ１ １１５−ａおよびＳＴＡ２ １１５−ｂ）と、カバレッジエリア１１０−ａとを有して示され、ＡＰ２ １０５−ｂは、１つの関連するＳＴＡ３ １１５−ｃ）と、カバレッジエリア１１０−ｂとを有して示される。特定のＢＳＳに関連付けられたＳＴＡおよびＡＰは、そのＢＳＳのメンバと呼ばれ得る。図１の例では、ＡＰ１ １０５−ａのカバレッジエリアは、ＡＰ２ １０５−ｂのカバレッジエリアの一部に重複し得、それにより、ＳＴＡ１ １１５−ａは、カバレッジエリアの重複部分内にあり得る。図１のＷＬＡＮ展開に関連して説明されるＢＳＳ、ＡＰ、およびＳＴＡの数ならびにＡＰのカバレッジエリアは、例示として提供され、限定ではない。
【００２０】
[0025]いくつかの例では、図１に示されるＡＰ（たとえば、ＡＰ１ １０５−ａおよびＡＰ２ １０５−ｂ）は一般に、そのカバレッジエリアまたは領域内のＳＴＡ１１５にバックホールサービスを提供する固定端末である。しかしながら、いくつかのアプリケーションでは、ＡＰは、モバイルまたは非固定の端末であり得る。固定、非固定、またはモバイル端末であり得る、図１に示されるＳＴＡ（たとえば、ＳＴＡ１ １１５−ａ、ＳＴＡ２ １１５−ｂ、およびＳＴＡ３ １１５−ｃ）は、インターネットのようなネットワークに接続するために、それらのそれぞれのＡＰのバックホールサービスを利用する。ＳＴＡの例には、セルラ電話、スマートフォン、ラップトップコンピュータ、デスクトップコンピュータ、携帯情報端末（ＰＤＡ）、パーソナル通信システム（ＰＣＳ）デバイス、パーソナル情報マネジャ（ＰＩＭ）、パーソナルナビゲーションデバイス（ＰＮＤ）、全地球測位システム、マルチメディアデバイス、ビデオデバイス、オーディオデバイス、モノのインターネット（ＩｏＴ）のためのデバイス、またはＡＰのバックホールサービスを必要とする任意の他の適切なワイヤレス装置が含まれるがそれらに限定されるわけではない。ＳＴＡは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス局、リモート端末、ハンドセット、ユーザエージェント、モバイルクライアント、クライアント、ユーザ機器（ＵＥ）、または何らかの他の適切な用語でも呼ばれ得る。ＡＰは、基地局、トランシーバ基地局、無線基地局、無線トランシーバ、トランシーバ機能とも、または任意の他の適切な用語でも呼ばれ得る。本開示全体にわたって説明される様々な概念は、それらの特定の名称に関わらず、すべての適切なワイヤレス装置に適用されるよう意図される。
【００２１】
[0026]ＳＴＡ１ １１５−ａ、ＳＴＡ２ １１５−ｂ、およびＳＴＡ３ １１５−ｃの各々は、プロトコルスタックにより実施され得る。プロトコルスタックは、ワイヤレスチャネルの物理および電気規格にしたがってデータを送信および受信するための物理レイヤと、ワイヤレスチャネルへのアクセスを管理するためのデータリンクレイヤと、発信源から宛先へのデータ移行を管理するためのネットワークレイヤ、エンドユーザ間でのデータの透視移行を管理するためのトランスポートレイヤと、ネットワークへの接続を確立またはサポートするために必要なまたは望まれる任意の他のレイヤとを含むことができる。
【００２２】
[0027]ＡＰ１ １０５−ａおよびＡＰ２ １０５−ｂの各々は、関連するＳＴＡが通信リンク１２５を介してネットワークに接続することを可能にするために、ソフトウェアアプリケーションおよび／または回路を含むことができる。ＡＰは、データおよび／または制御情報（たとえば、シグナリング）を通信するために、フレームまたはパケットをそれらのそれぞれのＳＴＡに送り、それらのそれぞれのＳＴＡからフレームまたはパケットを受信することができる。
【００２３】
[0028]ＡＰ１ １０５−ａおよびＡＰ２ １０５−ｂの各々は、ＡＰのカバレッジエリア内にあるＳＴＡと通信リンク１２５を確立することができる。通信リンク１２５は、アップリンク通信およびダウンリンク通信の両方を可能にすることができる通信チャネルを備えることができる。ＡＰに接続しているとき、ＳＴＡは、最初に、ＡＰを用いてそれ自体を認証し、次いで、それ自体をＡＰと関連付けることがきる。関連付けられると、ＡＰ１０５および関連ＳＴＡ１１５が、ダイレクト通信チャネルを通じてフレームまたはメッセージを交換し得るように、通信リンク１２５がＡＰ１０５とＳＴＡ１１５との間に確立され得る。ワイヤレス通信システムは、いくつかの例では、中央ＡＰ（たとえば、ＡＰ１０５）を有していないことがあり得、むしろＳＴＡ間のピアツーピアネットワークとして機能し得ることは留意されるべきである。したがって、本明細書で説明されるＡＰ１０５の機能は、代替的に、ＳＴＡ１１５のうちの１つまたは複数によって実行され得る。
【００２４】
[0029]本開示の態様は、ＷＬＡＮ展開または８０２．１１準拠ネットワークの使用に関連して説明されるが、当業者であれば、本開示全体にわたって説明される様々な態様が、例として、ＢＬＵＥＴＯＯＴＨ（登録商標）（ブルートゥース（登録商標））、ハイパーＬＡＮ（主に欧州で使用される、ＩＥＥＥ８０２．１１規格に匹敵するワイヤレス規格のセット）、および広域ネットワーク（ＷＡＮ）、ＷＬＡＮ、パーソナルエリアネットワーク（ＰＡＮ）、または現在知られているまたは後に開発される他の適切なネットワークで使用される他の技法を含む様々な規格またはプロトコルを用いる他のネットワークに拡張され得ることを容易に認識するであろう。ゆえに、動的感度制御に対する修正および強化に基づいて動作を実行するために本開示全体にわたって提示される様々な態様は、カバレッジ範囲および利用されるワイヤレスアクセスプロトコルにかかわらず、任意の適切なワイヤレスネットワークに適用可能であり得る。
【００２５】
[0030]いくつかの態様では、１つまたは複数のＡＰ（１０５−ａおよび１０５−ｂ）は、通信リンク１２５を介して、ワイヤレス通信システムのＳＴＡ１１５に、１つまたは複数のチャネル（たとえば、各チャネルが周波数帯域幅を含む複数の狭帯域チャネル）ビーコン信号（または、単に「ビーコン」）を送信し得、これは、ＳＴＡ１１５がそれらのタイミングをＡＰ１０５と同期することを助け得るかまたは他の情報または機能性を提供し得る。このようなビーコンは、周期的に送信され得る。一態様では、連続した送信間の期間は、スーパーフレームと呼ばれ得る。ビーコンの送信は、多数のグループまたはインターバルへと分割され得る。一態様では、ビーコンは、共通クロックを設定するためのタイムスタンプ情報、ピアツーピアネットワーク識別子、デバイス識別子、能力情報、スーパーフレーム持続時間、送信方向情報、受信方向情報、近隣リスト、および／または拡張近隣リストのような情報を含み得るがそれらに限定されるものではなく、これらのいくつかは、以下でさらに詳細に説明される。ゆえに、ビーコンは、いくつかのデバイスの間で共通であり（たとえば、共有される）かつ所与のデバイスに固有の情報を含み得る。
【００２６】
[0031]ある態様では、デバイス（たとえば、ＡＰ１０５および／またはＳＴＡ１１５）は、本開示で説明される様々な機能を実行するための１つまたは複数の構成要素を含み得る。たとえば、デバイス（たとえば、ＡＰ１０５および／またはＳＴＡ１１５）は、空間再利用のためのバックオフメカニズム技法に関するプロシージャを実行するために、通信管理構成要素４０５（図示されない、図４参照）を含み得る。これらのプロシージャは、たとえば、受信されたパケットがＯＢＳＳパケットであるかを（すなわち、ＯＢＳＳのメンバから受信されたか）を検出することと、前に中断されたバックオフ動作（たとえば、バックオフ時間期間）を、パケットがＯＢＳＳパケットであるとの決定の直後に再開することとを含み得る。いくつかの態様では、デバイスは、ＯＢＳＳパケットの終了より前にバックオフ動作を再開し得る。具体的には、受信デバイスは、ＯＢＳＳパケットに関連付けられたＮＡＶ期間中にバックオフ動作を再開し、それによって、バックオフ動作が満了した場合、ＯＢＳＳパケットのＮＡＶ中に周波数チャネル上で別のパケットを送信することを選び得る。いくつかの態様では、ＯＢＳＳパケットに関連付けられたＮＡＶ期間は、仮に受信デバイスがパケット全体（たとえば、プリアンブルとデータ）を復号および／または処理することとなっていたらＯＢＳＳパケットを復号するのにかかったであろう時間量よりも長いであろう。ゆえに、この例では、パケットの終了前にバックオフ動作を再開することは、ＯＢＳＳパケットに関連付けられたＮＡＶ期間の満了より前にバックオフ動作を再開することを含み得る。
【００２７】
[0032]ゆえに、本開示の態様にしたがって、デバイス（たとえば、ＳＴＡ１１５および／またはＡＰ１０５）は、ワイヤレスネットワーク（たとえば、ＩＥＥＥ８０２．１１ａｘワイヤレスネットワーク）における再利用を高めるために、ＯＢＳＳから到来する送信上では送信し、同じＢＳＳ（ｉｎ−ＢＳＳとしても知られている）から到来する送信上では送信するのを控える。送信がワイヤレスデバイスと同じＢＳＳからのものであるかＯＢＳＳからのものであるかをワイヤレスデバイスが決定することを可能にするために、いくつかのパケットは、パケットが発信されたＢＳＳを識別するカラーコード／情報を有し得る。カラーコード／情報は、ＢＳＳ識別子（ＢＳＳＩＤ）または部分的なＢＳＳＩＤ、あるいは何らかの他のシーケンスであり得る。ワイヤレスデバイスがカラー情報を有するパケットを受信すると、ワイヤレスデバイスは、パケットがワイヤレスデバイスと同じＢＳＳに関連付けられているか、または、パケットがＯＢＳＳに関連付けられているかを決定し得る。
【００２８】
[0033]図２Ａは、典型的な処理ＯＢＳＳパケットに関連付けられたタイミング図２０２を例示する関連技術の例である。タイミング図２０２は、図１に例示されたＡＰまたはＳＴＡであり得るＯＢＳＳデバイス２０５を例示する。一例では、ＯＢＳＳデバイス２０５は、図１を参照して説明されたＢＳＳ２に属するまたはそのメンバであるＡＰ１０５−ｂおよび／またはＳＴＡ３ １１５−ｃであり得る。追加的にまたは代替的に、タイミング図２０２は、図１に例示されたＡＰ１０５またはＳＴＡ１１５のうちの１つでもあり得るＢＳＳデバイス２１０（たとえば、ｉｎ−ＢＳＳ）を含み得る。たとえば、ＢＳＳデバイス２１０は、ＢＳＳ１に属するまたはそのメンバであるＡＰ１０５−ａまたはＳＴＡ１ １１５−ａであり得る。
【００２９】
[0034]上述したように、いくつかの態様では、チャネルアクセスは、ＤＩＦＳ／ＰＩＦＳおよびＳＩＦＳのようなフレーム間スペースを通じて管理され得る。ゆえに、いくつかの例では、１つまたは複数のデバイス（ＯＢＳＳデバイス２０５および／またはＢＳＳデバイス２１０）は、スケジュールされた送信のためにワイヤレス媒体にアクセスする前に、ＤＩＦＳ／ＰＩＦＳ持続時間の間のワイヤレス媒体の状態（すなわち、媒体がアイドルであるかビジーであるか）を検知し得る。いくつかの例では、ＢＳＳデバイス２１０は、ＢＳＳデバイス２１０に関連付けられた１つまたは複数のキュー中に、送信を待つデータを有し得る。しかしながら、送信を開始する前に、ＩＥＥＥ８０２．１１規格は、ＢＳＳデバイス２１０が、ＤＩＦＳ２１２の間、チャネルまたは媒体をモニタするべきであることを規定し得る。本説明はＤＩＦＳ２１２を参照して例示されるが、ＰＩＦＳ、ＳＩＦＳ、またはＡＩＦＳを含むがそれらに限定されないモニタ期間が他のチャネルプロシージャによって定義され得ることは当業者によって理解されるべきである。ゆえに、無線チャネルがＤＩＦＳ２１２（または、代替的に、ＰＩＦＳ、ＳＩＦＳ、またはＡＩＦＳ）の間アイドルであることを検出した後、ＢＳＳデバイス２１０は、Ｔ＿１においてバックオフ動作を開始し得る。いくつかの態様では、バックオフ動作を開始することは、送信待ちデータ（たとえば、前に起こった衝突による再送信）に基づいて、バックオフカウンタまたはタイマを指定の（または、疑似ランダム）数に設定することを含み得る。たとえば、送信待ちデータが音声データである場合、バックオフカウンタは、送信待ちデータがビデオデータまたはベストエフォートデータである場合より低い数に設定され得る。いくつかの態様では、バックオフカウンタは、媒体上でのデータパケットの送信より前に必要とされるアイドルフレーム間隔の数によって定義され得る。一態様では、バックオフは、媒体がビジーであるとき停止し、媒体がアイドルであるとき再開する。１つまたは複数の例では、ＢＳＳデバイス２１０は、複数のバックオフ動作を含み得、ここで、ＢＳＳデバイス２１０内の各バックオフインスタンスは、送信機会（ＴＸＯＰ）と呼ばれ得る時間インターバルを求めて競合し得る。ＴＸＯＰは、デバイス（たとえば、ＢＳＳデバイス２１０）が送信を開始する権利を有し得る時間インターバルであり得、これは、開始時間と最大持続時間とによって定義される。
【００３０】
[0035]図２Ａに例示される例では、バックオフ動作を開始することは、バックオフカウンタ（または、バックオフ時間インターバル／時間期間）を、ＢＳＳデバイス２１０がＴＸＯＰの資格を有し（eligible for）得る前の６スロット２１４に設定することを含み得る。６スロットという選択は、例示を目的としてのみ利用される。当業者であれば、バックオフカウンタが任意の変数に設定され得ることは理解するであろう。追加的に、本開示の目的として、「バックオフ動作」という用語は、好適なコンテキストで、バックオフカウンタ、バックオフタイマ、バックオフ時間インターバル、バックオフ時間期間、および／またはバックオフフレーム間隔と交換して使用され得る。各スロット（たとえば、２１４−ａ、２１４−ｄ、２１４−ｆ、等）では、バックオフカウンタは、バックオフカウンタが、ＢＳＳデバイス２１０のためのＴＸＯＰをシグナリングし得るゼロの値に到達するまで、漸進的にデクリメントし得る。しかしながら、図２Ａに例示されるように、ＢＳＳデバイス２１０は、時間インターバルＴ＿２において、ＯＢＳＳデバイス２０５によって送信されたパケット２１６−ｂを受信し得る。結果として、時間インターバルＴ＿２において、ＢＳＳデバイス２１０は、受信されたパケットを復号するために、バックオフ動作を延期（または、中断）し得る。一般に、関連技術では、ＢＳＳデバイス２１０は、通常動作を再開する前に、パケット２１６の長さにＡＣＫ時間を足したもの、および、データパケット２１６に関連付けられたＮＡＶ期間待機し得る。たとえば、ＢＳＳデバイス２１０は、無線チャネルがＤＩＦＳ２１８（または、代替的に、ＰＩＦＳ、ＳＩＦＳ、またはＡＩＦＳ）の間アイドルであるかを決定するために、このチャネルを再度モニタし得る。モニタ期間に続いて、ＢＳＳデバイス２１０は、Ｔ＿３においてバックオフ動作を再開し、その後、Ｔ＿４においてバックオフカウンタがゼロまでデクリメントした後に保留中のデータパケット２２２を送信し得る。
【００３１】
[0036]しかしながら、当業者によって認識されるであろうように、受信されたデータパケット２１６がＯＢＳＳパケットである（すなわち、ＯＢＳＳのメンバによって送られた）ときに、バックオフ動作を再開するのにＴ＿３まで待機することは、ＢＳＳデバイス２１０が任意の保留中のトラフィックをワイヤレスチャネルまたは媒体上で送信することができるようになる前の大幅な遅延２１９の一因となり得る。
【００３２】
[0037]本開示の態様は、パケットがＯＢＳＳデバイス２０５によって送られたと決定することに応答して、図２Ｂ−２Ｅに例示されるように、バックオフ動作の再開に関連付けられたタイミングおよび／または条件を修正することでそのような遅延を低減する。いくつかの態様では、パケットがＯＢＳＳデバイス２０５によって送られたと決定することは、パケット２１６−ａのプリアンブルの少なくとも一部を復号することを含み得る。次に図２Ｂを見ると、図２Ａで説明されたタイミング図２０２に類似するタイミング図２０４。しかしながら、図２Ａとは対照的に、タイミング図２０４は、Ｔ＿２において、ＢＳＳデバイス２１０が、ＯＢＳＳデバイス２０５によって送信されたデータパケット２１６を受信することを受けて、パケット２１６がＯＢＳＳパケットであるかを決定するためにパケット２１６のプリアンブル２１６−ｃの少なくとも一部を復号することを例示する。いくつかの態様では、ＢＳＳデバイス２１０は、パケット２１６が発信されたＢＳＳを識別するカラーコード／情報を利用し得る。カラーコード／情報は、プリアンブル２１６−ｃの一部に組み込まれるＢＳＳＩＤまたは部分的なＢＳＳＩＤであり得る。ゆえに、ＢＳＳデバイス２１０が、カラー情報を有するパケット２１６を受信すると、ＢＳＳデバイス２１０は、パケットがＢＳＳデバイス２１０と同じＢＳＳに関連付けられているか、または、パケットがＯＢＳＳデバイス２０５に関連付けられているかを決定し得る。そのような方法は、パケット２１６のプリアンブル２１６−ｃ中のシーケンス（たとえば、ＢＳＳＩＤ）を識別することと、このシーケンス（たとえば、ＢＢＳＩＤ）がｉｎ−ＢＳＳデバイスを対象としたパケットのためのシーケンスと一致しないと決定することとを含み得る。
【００３３】
[0038]追加的にまたは代替的に、受信されたパケット２１６がＯＢＳＳパケットであると（すなわち、ＯＢＳＳのメンバによって送られたと）、かつ、１つまたは複数の再利用基準が満たされるとＢＳＳデバイス２１０が決定すると、ＢＳＳデバイス２１０は、Ｔ＿３において、修正されたバックオフ動作（たとえば、バックオフカウンタ）を直ぐに再開し得る。いくつかの態様では、デバイスは、ＯＢＳＳパケットの終了より前にバックオフ動作を再開し得る。具体的には、受信デバイスは、ＯＢＳＳパケット２１６に関連付けられたＮＡＶ期間２１７中にバックオフ動作を再開し得る。ゆえに、タイミング図２０４の例では、本開示の態様は、パケットがＯＢＳＳのメンバによって送られたとの決定の直後にバックオフ動作が再開することを可能にするために、フレーム間隔をゼロに設定し得る。換言すると、図２Ａを参照して説明されたＤＩＦＳ２１８とは異なり、本開示の一例は、バックオフ動作またはカウントを再開する際に任意の追加の遅延を課さないであろう。結果として、ＢＳＳデバイス２１０は、バックオフ動作の満了時に信号またはパケット２２２を送信するように構成され得る。一例では、ＢＳＳデバイス２１０は、受信されたＯＢＳＳパケット２１６の終了より前に（すなわち、ＯＢＳＳパケット２１６に関連付けられたＮＡＶ期間の満了より前に）信号またはパケット２２２を送信し得る。図２Ｂで説明された本開示の態様を実施することは、図２Ａで説明された関連技術と比べたとき、送信をスケジュールする際の遅延２１９を大幅に低減し得る。
【００３４】
[0039]図２Ｃは、ＯＢＳＳ環境においてトラフィックをスケジュールする際の遅延を低減するためのタイミング図２０６のさらに別の例を例示する。タイミング図２０６は、パケット２１６がＯＢＳＳパケットであるかを決定するために、パケット２１６のプリアンブル２１６−ｃの少なくとも一部を復号することを含む、図２Ｂに関連して記載されたのと同様の特徴を実施し得る。しかしながら、パケットがＯＢＳＳのメンバによって送られたとの決定の直後にバックオフ動作が再開することを可能にするためにフレーム間隔がゼロに設定され得る図２Ｂのタイミング図２０４とは対照的に、バックオフ動作は、タイミング図２０６の態様にしたがって、パケットがＯＢＳＳデバイスによって送られたとの決定からフレーム間隔２２４後に再開される。いくつかの態様では、フレーム間隔２２４は、ＡＩＦＳによって定義され得る。いくつかの例では、フレーム間隔２２４の値および／またはＡＩＦＳの値は、ＢＳＳデバイス２１０のアクセスクラスまたは送信保留データのタイプに基づき得る。１つまたは複数の例では、フレーム間隔２２４の値は、ＡＩＦＳによって定義されたものよりも小さいであろう。
【００３５】
[0040]追加的にまたは代替的に、いくつかの態様では、図２Ｄに例示されるように、フレーム間隔は、パケットがＯＢＳＳデバイス２０５によって送られたとの決定の直後に、Ｔ＿３において、バックオフ動作が再開することを可能にするために、再度ゼロに設定され得る。しかしながら、複数のデバイスがチャネルまたは媒体に同時にアクセスしようと試みるのを防ぐために、本開示の態様は、疑似ランダム時間期間２２６を、バックオフ動作（たとえば、バックオフカウンタ）の残り時間におよび／またはＡＩＦＳに加え得る。結果として、保留中のトラフィックを有する複数のデバイスは交互に配置され、衝突を防ぐ。
【００３６】
[0041]さらに別の例では、図２Ｅに例示されるように、本開示の１つまたは複数の態様は、プリアンブルの持続時間またはプリアンブルの少なくとも一部を復号するのにかかった時間に少なくとも部分的に基づいてバックオフ動作の残り時間を低減する方法をさらに含み得る。たとえば、ＢＳＳデバイス２１０が、プリアンブルの持続時間またはプリアンブルの一部を復号するのに２スロット消費する場合、保留中のバックオフ動作（たとえば、バックオフカウンタ）は、Ｔ＿３においてバックオフ動作を再開するとき、同数のスロット（たとえば、２スロット）だけさらに低減され得る。ゆえに、この例では、ＢＳＳデバイス２１０がＴＸＯＰの資格を有する前に２スロット残っている状態で、バックオフ動作が、Ｔ＿２において、延期または中断される場合、ＢＳＳデバイス２１０は、本開示の態様にしたがって、受信されたパケットの一部を復号するのに消費されたのと同じ数のスロット（または、時間）だけ残りのスロットをさらに低減するように構成され得る。たとえば、上で例示した例では、バックオフ動作が再開されるとき、Ｔ＿３において、残りのバックオフ時間インターバル／時間期間は、ゼロに設定され得る。結果として、ＢＳＳデバイスは、Ｔ＿４において直ぐに信号またはパケット２２２の送信を試みる資格を有し得る。代替的に、たとえば、Ｔ＿２において、１０スロットが残っている状態でバックオフ動作が延期され、パケットがＯＢＳＳパケットであると決定するためにＢＳＳデバイスがプリアンブル２１６−ｃの少なくとも一部を復号するのに６スロット消費する場合、ＢＳＳデバイス２１０は、Ｔ＿３において、修正されたバックオフ動作を再開し得、ここで、バックオフカウンタは、ＢＳＳデバイス２１０が、ＴＸＯＰの資格を有する前に４スロットだけ待機し得るように、６スロットだけ調整（および、低減）され得る。当業者によって認識されるであろうように、ＢＳＳデバイス２１０は、タイミング図２１１を参照して説明された特徴にしたがって、ＯＢＳＳパケット２１６を復号することを理由にＢＳＳデバイス２１０にペナルティを科さない。追加的にまたは代替的に、本開示の態様は、パケットを送信する前に時間期間Ｔ＿４において（図２Ｄを参照して説明されたように）疑似ランダム時間期間を加え得る。ゆえに、プリアンブル２１６−ｃの少なくとも一部に対する復号期間中に複数のデバイスに関連付けられたバックオフカウンタが満了する例では、本開示の態様は、複数のデバイスがパケット送信を開始することを防ぐために、疑似ランダム時間期間を加える。
【００３７】
[0042]図３は、本開示の様々な態様に係る、ＯＢＳＳ環境において空間再利用のためのバックオフメカニズムを修正することでトラフィック伝送をスケジュールする際の遅延を低減するための方法３００を例示するフローチャートを示す。いくつかの例では、方法３００は、３０５において、第１のデバイス（たとえば、ＳＴＡ１１５またはＡＰ１０５）がパケットを受信することを含み得る。いくつかの態様では、トランシーバ（たとえば、４０２−ａまたは４０２−ｂ）が、受信するステップを実行するように構成される。いくつかの例では、パケットを受信することは、ＮＡＶを通じてパケットのためのチャネル上の確保された時間期間を識別することを含み得る。
【００３８】
[0043]３１０において、第１のデバイスは、パケットのプリアンブルの少なくとも一部を復号し始め得る。いくつかの例では、パケットのプリアンブルの少なくとも一部を復号することは、パケットのプリアンブル中のシーケンス（たとえば、ＢＳＳＩＤ）を識別することと、このシーケンス（たとえば、ＢＢＳＩＤ）が、ｉｎ−ＢＳＳデバイスを対象としたパケットのためのシーケンスと一致しないと決定することとを備え得る。いくつかの態様では、復号することは、（方法３００をＳＴＡ１１５が実行しているかＡＰ１０５が実行しているかに依存して）パケット復号構成要素４１０−ａまたは４１０−ｂによって実行され得る。送信がワイヤレスデバイスと同じＢＳＳ（すなわち、ｉｎ−ＢＳＳデバイス）から到来するかＯＢＳＳから到来するかをワイヤレスデバイスが決定することを可能にするために、いくつかのパケットは、パケットが発信されたＢＳＳを識別するカラーコード／情報を有し得る。カラーコード／情報は、ＢＳＳ識別子（ＢＳＳＩＤ）または部分的なＢＳＳＩＤであり得る。本開示のいくつかの態様では、方法３００は、３１５において、パケットの復号の開始に応答して、バックオフ動作を延期することを含み得る。いくつかの態様では、バックオフ動作管理構成要素４１５−ａまたは４１５−ｂは、延期するステップを実行し得る。バックオフ動作を延期することは、デバイスがワイヤレスチャネルまたは媒体にアクセスし得る前に残っているバックオフ時間期間または時間インターバルを中断または停止することを含み得る。いくつかの態様では、受信機デバイスは、バックオフカウンタを中断も停止もしないであろう。ワイヤレスデバイスが、カラー情報を有するパケットを受信すると、ワイヤレスデバイスは、パケットがワイヤレスデバイスと同じＢＳＳに関連付けられているか、または、パケットがＯＢＳＳに関連付けられているかを決定し得る。
【００３９】
[0044]具体的には、受信デバイス（すなわち、第１のデバイス）は、パケットのプリアンブル中のシーケンスを識別し、このシーケンスが、受信デバイスに関連付けられたＢＳＳのメンバを対象としたパケットのためのシーケンスと一致するかを決定し得る。受信デバイスは、一致が失敗したとの決定に応答して、パケットがＯＢＳＳのメンバによって送られたとさらに決定し得る。受信されたパケットが、受信デバイスと同じＢＳＳの一部であるデバイス（たとえば、ＢＳＳ間メンバ）からのものである場合、受信デバイス（すなわち、第１のデバイス）は、パケットがＢＳＳ内の第１のデバイスに向けられているかを決定するためにパケットをさらに処理し得る。パケットが第１のデバイスに向けられている場合、第１のデバイスは、３３０において、第１のデバイスで、パケットを上位レイヤ（たとえば、インターネットプロトコル（ＩＰ）レイヤおよびアプリケーションレイヤ）に送り得る。しかしながら、３２０において、パケットがＯＢＳＳのメンバによって送られたと第１のデバイスが決定すると、第１のデバイスは、３２５において、バックオフ動作を再開し得る。これは、ＯＢＳＳパケットに関連付けられたＮＡＶ期間中に行われ得る。換言すると、第１のデバイスは、受信されたパケットが、異なるデバイスを対象としたＯＢＳＳパケットであると決定することに応じて、パケットのＮＡＶを通じてＯＢＳＳパケットのためのチャネル上の確保された期間の前に、または、（たとえば、パケット長がこの時間よりも短い場合）パケットの終了前に、バックオフ動作を再開し得る。
【００４０】
[0045]いくつかの例では、バックオフ動作を再開することは、第１のデバイスがチャネルまたは媒体にアクセスすることを可能にする前に、パケットがＯＢＳＳのメンバによって送られたとの決定の後にフレームスペースを加えることを含み得る。１つまたは複数の例では、フレームスペースは、アービトレイションフレーム間間隔（ＡＩＦＳ）に基づき得る。いくつかの態様では、ＡＩＦＳは、第１のデバイスによって送信されているフレーム間に必要とされる時間インターバルであり得る。いくつかの例では、ＡＩＦＳは、異なる優先度キュー（すなわち、音声キュー、ビデオキュー、ベストエフォートキュー、およびバックグラウンドキュー）からのトラフィックについて、異なるフレーム間ギャップを定義し得る。いくつかの態様では、バックオフは、クリアチャネルアセスメント（ＣＣＡ）および／またはＮＡＶに基づいて媒体が利用可能であると決定される場合、再利用し得る。
【００４１】
[0046]いくつかの例では、第４の優先度キューの各々は、そのキューに割り当てられた優先度に対応する定義されたフレーム間スペース値を有し得る。たとえば、音声キューは、最も高い優先度を有し、そのため、最も低いフレーム間スペースタイマを有し得る。この方法で、ＡＩＦＳは、より高い優先度キューのフレームがそれほど長い間待機することを必要とされないため、より低い優先度キューより前に送信されるべきより高い優先度キューのトラフィックに対する統計的利点を可能にし得る。いくつかの態様では、ＩＥＥＥ８０２．１１ｅによって割り当てられたＡＩＦＳタイマは、１つのショートフレーム間間隔（ＳＩＦＳ）値に、使用中の物理レイヤ符号化方法（たとえば、ＣＣＫ、ＤＳＳＳ、ＯＦＤＭ）によって定義される可変数のスロット時間（ＡＩＦＳＮ）を足したものとして定義され得る。したがって、いくつかの例では、バックオフ動作を再開するときに必要とされるフレーム間隔は、４つの優先度キューの各々についてのＡＩＦＳ値によって定義され、ゆえに、送信待ちデータのタイプに依存し得る。
【００４２】
[0047]追加的にまたは代替的に、いくつかの例では、バックオフ動作を再開するときに必要とされるフレーム間隔は、ＡＩＦＳによって割り当てられたデフォルト値より短い値に設定され得る。たとえば、ＡＩＦＳのためのデフォルト値が１０マイクロ秒に設定される場合、修正されたフレーム間隔は、バックオフ動作を再開するときに実施され得る。修正されたフレーム間隔は、たとえば、４マイクロ秒であり得る。本明細書で説明される可変のフレーム間隔値が、例示目的のためだけに提供され、識別された値だけに限定されると解釈され得ないことは当業者によって理解されるべきである。いくつかの例では、フレーム間隔の値およびＡＩＦＳの値は、デバイス（たとえば、第１のデバイス）のアクセスクラスに基づき得る。ゆえに、１つまたは複数の例では、本開示の態様は、異なる値を、送信されるべき異なるタイプのデータに、および／または、チャネルまたは媒体へのアクセスを待つ異なるデバイスに割り当て得る。
【００４３】
[0048]さらなる例では、バックオフ動作を再開するときに、トラフィックの送信に必要とされるフレーム間隔は、第１のデバイスで受信されたパケットがＯＢＳＳのメンバによって送られたとの決定の直後にバックオフ動作が再開することを可能にするために、ゼロに設定され得る。このように、本開示の態様は、チャネルまたは媒体へのアクセス待ちトラフィックの送信を促進し、第１のデバイスが経験する遅延全体を低減し得る。
【００４４】
[0049]別の例では、３２５において、バックオフ動作を再開することは、プリアンブルの持続時間またはプリアンブルの少なくとも一部を復号するのにかかった時間／スロットに少なくとも部分的に基づいて、バックオフ動作からの残り時間を低減することを含み得る。たとえば、第１のデバイスが、プリアンブルの持続時間またはプリアンブルの一部を復号するのに６スロット（たとえば、各スロットは９ミリ秒である）消費する場合、保留中のバックオフ動作（たとえば、バックオフ時間インターバルおよび／または時間期間）は、バックオフ動作を再開するときに同数のスロット（たとえば、６スロット）だけさらに低減され得る。ゆえに、この例では、３１５において、第１のデバイスがチャネルにアクセスできるようになる前に１５個の残りのスロットがある状態でバックオフ動作が延期または中断される場合、第１のデバイスは、本開示の態様にしたがって、受信されたパケットの一部を復号するのに消費されたのと同じ数のスロット（または、時間）だけ残りのスロットをさらに低減するように構成され得る。たとえば、上で例示した例では、３２５において、バックオフ動作が再開されるとき、残りのバックオフ時間インターバル／時間期間は、９スロットが残っている状態で再開するように設定され得る。結果として、第１のデバイスは、（通常動作では１５スロットであるがその代わりに）９スロット待機した後に、信号の送信を試みる資格を有し得る。当業者によって認識されるであろうように、第１のデバイスは、この例にしたがって、ＯＢＳＳパケットを復号することを理由にペナルティが科されないであろう。
【００４５】
[0050]追加的にまたは代替的に、いくつかの例では、３２５において、バックオフ動作は、複数のデバイス（ＳＴＡまたはＡＰ）が、結果としてトラフィック衝突を引き起こすチャネルまたは媒体への同時アクセスを試みるのを防ぐために、疑似ランダム時間期間またはインターバルを、バックオフ動作の残り時間に加え得る。他の例では、バックオフ動作を再開することは、ワイヤレス媒体がアイドルであるかビジーであるかを決定するためにＣＣＡプロシージャを利用することを備え得る。
【００４６】
[0051]いくつかの態様では、複数のバックオフ動作のうちのどれを利用するかを決定することは、パケットがＯＢＳＳのメンバによって送られ、特定の再利用条件が満たされるとの決定に応答して、バックオフ動作を再開するときに複数のプロシージャのうちのどれを使用するかを識別するメッセージをＡＰから受信することに基づき得る。いくつかの例では、ＡＰは、チャネルまたは媒体へのアクセスを試みる複数のデバイスを交互に配置するために、異なるバックオフ動作を異なるデバイスに割り当て得る。
【００４７】
[0052]図４Ａは、本開示の様々な態様に係る、本明細書で説明された１つまたは複数の方法（たとえば、方法３００および５００）を実施するためのＳＴＡ１１５のハードウェア構成要素およびサブ構成要素を説明する。たとえば、ＳＴＡ１１５の実施の一例には、様々な構成要素が含まれ得、それらのうちのいくつかは、すでに上で説明されているが、１つまたは複数のバス４４４−ａを介して通信状態にある１つまたは複数のプロセッサ４１２−ａおよびメモリ４１４−ａおよびトランシーバ４０２−ａのような構成要素を含み、これらは、本開示の１つまたは複数の方法を含むことに関する本明細書で説明された機能のうちの１つまたは複数を可能にするために、通信管理構成要素４０５−ａと連動し得る。さらに、１つまたは複数のプロセッサ４１２−ａ、モデム４１４−ａ、メモリ４１６−ａ、トランシーバ４０２−ａ、ＲＦフロントエンド４８８−ａ、および１つまたは複数のアンテナ４６５−ａは、１つまたは複数の無線アクセス技術において、（同時にまたは非同時に）音声呼および／またはデータ呼をサポートするように構成され得る。
【００４８】
[0053]ある態様では、１つまたは複数のプロセッサ４１２−ａは、１つまたは複数のモデムプロセッサを使用するモデム４１４−ａを含むことができる。通信管理構成要素４０５−ａに関する様々な機能が、モデム４１４−ａおよび／またはプロセッサ４１２−ａに含まれ得、ある態様では、単一のプロセッサによって実行され得、他の態様では、それら機能のうちの異なるものは、２つ以上の異なるプロセッサの組み合わせによって実行され得る。たとえば、ある態様では、１つまたは複数のプロセッサ４１２−ａは、モデムプロセッサ、またはベースバンドプロセッサ、またはデジタルシグナルプロセッサ、または送信プロセッサ、または受信プロセッサ、またはトランシーバ４０２−ａに関連するトランシーバプロセッサのうちの任意の１つまたは任意の組み合わせを含み得る。他の態様では、通信管理構成要素４０５−ａに関連付けられた１つまたは複数のプロセッサ４１２−ａおよび／またはモデム４１４−ａの特徴のうちのいくつかは、トランシーバ４０２−ａによって実行され得る。
【００４９】
[0054]また、メモリ４１４−ａは、本明細書で使用されるデータ、および／またはローカルバージョンのアプリケーションまたは少なくとも１つのプロセッサ４１２−ａによって実行されている通信管理構成要素４０５−ａおよび／またはそのサブ構成要素のうちの１つまたは複数を記憶するように構成され得る。メモリ４１６−ａは、ランダムアクセスメモリ（ＲＡＭ）、読取専用メモリ（ＲＯＭ）、テープ、磁気ディスク、光学ディスク、揮発性メモリ、非揮発性メモリ、およびそれらの任意の組み合わせのような、コンピュータまたは少なくとも１つのプロセッサ４１２−ａによって使用可能な任意のタイプのコンピュータ読取可能な媒体を含むことができる。ある態様では、たとえば、メモリ４１６−ａは、通信管理構成要素４０５−ａおよび／またはそのサブ構成要素のうちの１つまたは複数を実行するようにＳＴＡ１１５が少なくとも１つのプロセッサ４１２−ａを動作しているとき、通信管理構成要素４４０および／またはそのサブ構成要素の１つまたは複数を定義する１つまたは複数のコンピュータ実行可能なコードおよび／またはそれに関連付けられたデータを記憶する非一時的なコンピュータ読取可能な記憶媒体であり得る。
【００５０】
[0055]トランシーバ４０２−ａは、少なくとも１つの受信機４０６−ａと、少なくとも１つの送信機４０８−ａとを含み得る。受信機４０６−ａは、ハードウェア、ファームウェア、および／またはデータを受信するためにプロセッサが実行可能なソフトウェアコードを含み得、コードは、命令を備え、メモリ（たとえば、コンピュータ読取可能な媒体）に記憶される。受信機４０６−ａは、たとえば、無線周波数（ＲＦ）受信機であり得る。ある態様では、受信機４０６−ａは、少なくとも１つのＡＰ１０５によって送信される信号を受信し得る。追加的に、受信機４０６−ａは、そのような受信信号を処理し得、また、Ｅｃ／Ｉｏ、ＳＮＲ、ＲＳＰＲ、ＲＳＳＩ、等であるがそれらに限定されない信号の測定値を取得し得る。送信機４０８−ａは、ハードウェア、ファームウェア、および／またはデータを送信するためにプロセッサが実行可能なソフトウェアコードを含み得、コードは、命令を備え、メモリ（たとえば、コンピュータ読取可能な媒体）に記憶される。トランシーバ４０２−ａの適切な例は、ＲＦ送信機またはＲＦ受信機を含み得るが、それらに限定されない。
【００５１】
[0056]さらに、ある態様では、ＳＴＡ１１５は、たとえば、少なくとも１つのＡＰ１０５によって送信されるワイヤレス通信またはＳＴＡ１１５によって送信されるワイヤレス送信のような、無線送信を受信および送信するために１つまたは複数のアンテナ４６５−ａおよびトランシーバ４０２−ａと通信して動作し得るＲＦフロントエンド４８８−ａを含み得る。ＲＦフロントエンド４８８−ａは、１つまたは複数のアンテナ４６５−ａに接続され得、ＲＦ信号を送信および受信するために、１つまたは複数の低ノイズ増幅器（ＬＮＡ）４９０−ａと、１つまたは複数のスイッチ４９２−ａと、１つまたは複数の電力増幅器（ＰＡ）４９８−ａと、１つまたは複数のフィルタ４９６−ａとを含むことができる。
【００５２】
[0057]ある態様では、ＬＮＡ４９０−ａは、所望の出力レベルで受信信号を増幅することができる。ある態様では、各ＬＮＡ４９０−ａは、指定された最小および最大利得値を有し得る。ある態様では、ＲＦフロントエンド４８８−ａは、特定の用途のための所望の利得値に基づいて、特定のＬＮＡ４９０−ａおよびそれの指定された利得値を選択するために１つまたは複数のスイッチ４９２−ａを使用し得る。
【００５３】
[0058]さらに、たとえば、１つまたは複数のＰＡ４９８−ａは、所望の出力電力レベルでのＲＦ出力のための信号を増幅するために、ＲＦフロントエンド７８８によって使用され得る。ある態様では、各ＰＡ４９８−ａは、指定された最小および最大利得値を有し得る。ある態様では、ＲＦフロントエンド４８８−ａは、特定の用途のための所望の利得値に基づいて、特定のＰＡ４９８−ａおよびそれの指定された利得値を選択するために１つまたは複数のスイッチ４９２−ａを使用し得る。
【００５４】
[0059]また、たとえば、１つまたは複数のフィルタ４９６−ａは、受信信号をフィルタ処理して入力ＲＦ信号を取得するために、ＲＦフロントエンド４８８−ａによって使用されることができる。同様に、ある態様では、たとえば、それぞれのフィルタ４９６−ａは、それぞれのＰＡ４９８−ａからの出力をフィルタ処理して、送信のための出力信号を生み出すために使用されることができる。ある態様では、各フィルタ４９６−ａは、特定のＬＮＡ４９０−ａおよび／またはＰＡ４９８−ａに接続されることができる。ある態様では、ＲＦフロントエンド４８８−ａは、トランシーバ４０２−ａおよび／またはプロセッサ４１２−ａによって指定されるような構成に基づいて、指定されたフィルタ４９６−ａ、ＬＮＡ４９０−ａ、および／またはＰＡ４９８−ａを使用して送信経路または受信経路を選択するために、１つまたは複数のスイッチ４９２−ａを使用することができる。
【００５５】
[0060]このように、トランシーバ４０２−ａは、ＲＦフロントエンド４８８−ａを介して、１つまたは複数のアンテナ４６５−ａを通じてワイヤレス信号を送信および受信するように構成され得る。ある態様では、トランシーバは、ＳＴＡ１１５が、たとえば、１つまたは複数のＡＰ１０５または１つまたは複数のＡＰに関連付けられた１つまたは複数のセルと通信することができるように、特定の周波数で動作するように同調され得る。ある態様では、たとえば、モデム４１４−ａは、ＳＴＡ１１５のＳＴＡ構成と、モデム４１４−ａによって使用される通信プロトコルとに基づいて、特定の周波数および電力レベルで動作するようにトランシーバ４０２を構成することができる。
【００５６】
[0061]ある態様では、モデム４１４−ａは、デジタルデータを処理し、このデジタルデータがトランシーバ４０２−ａを使用して送られるおよび受信されるように、トランシーバ４０２−ａと通信することができるマルチバンド−マルチモードモデムであることができる。ある態様では、モデム４１４−ａは、マルチバンドであることができ、特定の通信プロトコルのために複数の周波数帯域をサポートするように構成され得る。ある態様では、モデム４１４−ａは、マルチモードであることができ、複数の動作ネットワークおよび通信プロトコルをサポートするように構成され得る。ある態様では、モデム４１４−ａは、特定のモデム構成に基づいて、ネットワークからの信号の送信および／または受信を可能にするように、ＳＴＡ１１５の１つまたは複数の構成要素（たとえば、ＲＦフロントエンド４８８−ａ、トランシーバ４０２−ａ）を制御することができる。ある態様では、モデム構成は、使用中の周波数帯域とモデムのモードとに基づき得る。別の態様では、モデム構成は、セル選択および／またはセル再選択中にネットワークによって提供された、ＳＴＡ１１５に関連付けられたＳＴＡ構成情報に基づき得る。
【００５７】
[0062]いくつかの例では、通信管理構成要素４０５−ａは、図３を参照して説明されたように、パケットがＯＢＳＳのメンバによって送られたかを決定するために、パケットのプリアンブルの少なくとも一部を復号するように構成されたパケット復号構成要素４１０−ａを含み得る。通信管理構成要素４０５−ａは、復号の開始に応答して、バックオフ動作を延期する（たとえば、バックオフ時間インターバルまたは時間期間を停止する）ためのバックオフ動作管理構成要素４１５−ａをさらに含み得る。いくつかの例では、バックオフ動作管理構成要素４１５−ａは、パケットがＯＢＳＳのメンバによって送られたとの決定に応答してバックオフ動作を再開するようにさらに構成され得る。バックオフ動作は、パケットの終了前に再開され得る。たとえば、バックオフ動作管理構成要素４１５−ａは、ＮＡＶによってＯＢＳＳパケットのために確保された時間期間の満了より前にバックオフ動作を再開し得る。バックオフ動作管理構成要素４１５−ａは、バックオフ動作をいつ再開するかおよび／またはバックオフ動作に残っている時間を修正または調節するように構成され得る。たとえば、バックオフ動作管理構成要素４１５−ａは、プリアンブルの持続時間またはプリアンブルの少なくとも一部を復号するのにかかった時間に少なくとも部分的に基づいて、バックオフ動作に残っている時間を低減するように構成され得る。さらに、バックオフ動作管理構成要素４１５−ａは、衝突を回避するために、疑似ランダム時間期間を、バックオフ動作の残り時間に加えるように構成され得る。バックオフ動作の残り時間は、パケットのプリアンブルの復号の開始に応答してバックオフ動作が延期または中断されるときに、バックオフ動作を完了するために残っている時間を指し得る。
【００５８】
[0063]追加的にまたは代替的に、通信管理構成要素４０５は、デバイス（ＳＴＡまたはＡＰ）によって、バックオフ動作の満了後に信号を送信するためのトラフィックスケジュール構成要素４２０−ａを含み得る。いくつかの例では、信号は、ＯＢＳＳパケットフレームの終了前に送信され得る。具体的には、いくつかの例では、トラフィックスケジュール構成要素４２０−ａは、送信保留信号（たとえば、データパケットまたは制御信号）を生成し、生成された信号を、ワイヤレスチャネルまたは媒体上に変調されるようにトランシーバ６０に転送し得る。代替的に、いくつかの例では、信号は、ＯＢＳＳパケットフレームの終了後に送信され得る。トラフィックスケジュール構成要素４２０は、通信リンク１２５上でのチャネルまたは媒体へのアクセスを試みる前に（図３を参照して説明された１つまたは複数の方法によって定義される）指定された時間期間待機するようにトランシーバ６０を構成し得る。
【００５９】
[0064]図４Ｂは、本開示の様々な態様に係る、本明細書で説明される１つまたは複数の方法（たとえば、方法３００および５００）を実施するためのＡＰ１０５のハードウェア構成要素およびサブ構成要素を説明する。たとえば、ＡＰ１０５の実施の一例には、様々な構成要素が含まれ得、それらのうちのいくつかは、すでに上で説明されているが、１つまたは複数のバス４４４−ｂを介して通信状態にある１つまたは複数のプロセッサ４１２−ｂおよびメモリ４１４−ｂおよびトランシーバ４０２−ｂのような構成要素を含み、これらは、本開示の１つまたは複数の方法を含むことに関する本明細書で説明された機能のうちの１つまたは複数を可能にするために、通信管理構成要素４０５−ｂと連動し得る。いくつかの態様では、ＡＰ１０５の構成要素は、ＡＰ１０５のものに機能性が類似し得、明確さのために、機能性が類似し得る様々な構成要素およびサブ構成要素の各々は、本明細書で繰り返されない。
【００６０】
[0065]図５は、本開示の様々な態様に係る、ワイヤレス通信の方法５００の例を概念的に例示するフローチャートである。明確さのために、方法５００は、図１を参照して説明されたＡＰ１０５および／またはＳＴＡ１１５を参照して以下で説明される。
【００６１】
[0066]５０５において、方法５００は、第１のデバイスで、パケットを受信することを含み得る。いくつかの例では、第１のデバイスは、ＡＰ１０５および／またはＳＴＡ１１５の例であり得る。追加的にまたは代替的に、パケットは、データパケットまたは制御パケットであり得る。５０５の態様は、図４Ａおよび４Ｂを参照して説明されたトランシーバ４０２によって実行され得る。
【００６２】
[0067]５１０において、方法５００は、パケットがＯＢＳＳのメンバによって送られたかを決定するためにパケットのプリアンブルの少なくとも一部を復号することを含み得る。いくつかの例では。いくつかの例では、第１のデバイスは、送信が第１のデバイスと同じＢＳＳからのものであるかＯＢＳＳからのものであるかを、パケットが発信されたＢＳＳを識別するパケットのプリアンブルに含まれるカラーコード／情報に基づいて決定し得る。５１０の態様は、図４Ａおよび４Ｂを参照して説明されたパケット復号構成要素４１０によって実行され得る。
【００６３】
[0068]５１５において、方法５００は、復号の開始に応答してバックオフ動作を延期することを含み得る。いくつかの態様では、バックオフ動作を延期することは、受信デバイスがプリアンブルの少なくとも一部を復号する時間中、バックオフカウンタがデクリメントすることを停止または中断することを含み得る。ブロック５１５の態様は、図４Ａおよび４Ｂを参照して説明されたバックオフ動作管理構成要素４１５によって実行され得る。
【００６４】
[0069]５２０において、方法５００は、パケットがＯＢＳＳのメンバによって送られたとの、および、１つまたは複数の再利用条件（たとえば、ＲＳＳＩが閾値を下回ること）が満たされるとの決定に応答してバックオフ動作を再開することを含み得る。いくつかの態様では、バックオフ動作は、パケットの終了前に再開され得る。換言すると、第１のデバイスは、パケットがＯＢＳＳのメンバによって送られたと、かつ、特定の再利用基準が満たされると決定することを受けて、ＯＢＳＳパケットの残りの部分を無視し、ゆえに、バックオフ動作を再開するとき、ＯＢＳＳパケットに関連付けられたＮＡＶを遵守しないことを選び得る。５２０の態様は、図４Ａおよび４Ｂを参照して説明されたトラフィックスケジュール構成要素４２０によって実行され得る。
【００６５】
[0070]装置および方法は、ブロック、モジュール、構成要素、回路、ステップ、プロセス、アルゴリズム、等を備える様々な要素によって、詳細な説明で説明され、添付の図面で例示されている。これらの要素またはそれらの任意の部分は、単独であっても他の要素および／または機能と組み合わせられても、電子ハードウェア、コンピュータソフトウェア、またはそれらの任意の組み合わせを使用して実施され得る。そのような要素がハードウェアとして実施されるかソフトウェアとして実施されるかは、特定の用途とシステム全体に課される設計制約とに依存する。ある態様では、本明細書で使用される場合、「構成要素」という用語は、システムを構成する部分のうちの１つであり得、複数の他の構成要素へと分割され得る。
【００６６】
[0071]例として、１つの要素、または１つの要素の任意の部分、あるいは複数の要素の任意の組み合わせが、１つまたは複数のプロセッサを含む「処理システム」を用いて実施され得る。プロセッサは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理構成要素、ディスクリートゲートまたはトランジスタ論理、ディスクリートハードウェア構成要素、またはそれらの任意の組み合わせ、あるいは、本明細書で説明された機能を実行するように設計された任意の他の適切な構成要素を含み得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティング構成要素の組み合わせ、たとえば、ＤＳＰと、１つのマイクロプロセッサ、複数のマイクロプロセッサ、ＤＳＰに連結した１つまたは複数のマイクロプロセッサ、または任意の他のそのような構成との組み合わせとして実施され得る。
【００６７】
[0072]処理システム内の１つまたは複数のプロセッサはソフトウェアを実行し得る。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。ソフトウェアは、一時的または非一時的なコンピュータ読取可能な媒体に存在する。非一時的なコンピュータ読取可能な媒体は、例として、磁気記憶デバイス（たとえば、ハードディスク、フロッピー（登録商標）ディスク、磁気ストリップ）、光学ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、静的ＲＡＭ（ＳＲＡＭ）、動的ＲＡＭ（ＤＲＡＭ）、同期動的ＲＡＭ（ＳＤＲＡＭ）、ダブルデータレートＲＡＭ（ＤＤＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、汎用レジスタ、またはソフトウェアを記憶するための任意の他の適切な非一時的な媒体を含み得る。
【００６８】
[0073]処理システム内の様々な相互接続は、バスまたは単一信号線として示され得る。これらバスの各々は代替的に、１つの単一信号線であり得、単一信号線の各々は代替的に、複数のバスであり得、単一線またはバスは、要素間の通信のための無数の物理的または論理的なメカニズムのうちの任意の１つまたは複数を表し得る。本明細書で説明された様々なバスを介して供給される信号のうちの任意のものは、他の信号と時間多重化され、１つまたは複数の共通バスを介して供給され得る。
【００６９】
[0074]本開示の様々な態様は、当業者による本発明の実践を可能にするために提供される。本開示全体にわたって提示された実施の例に対する様々な修正は、当業者に容易に明らかになり、本明細書で開示された概念は、他の磁気記憶デバイスに拡張され得る。ゆえに、特許請求の範囲は、本開示の様々な態様に限定されるよう意図されず、特許請求の範囲の文言と合致する最も広い範囲が付与されるべきである。当業者に知られているまたは後に知られることとなる、本開示全体にわたって説明された実施の例の様々な構成要素と構造的および機能的に同等なものはすべて、参照によって本明細書に明確に組み込まれ、特許請求の範囲に包含されるよう意図されている。さらに、本明細書で開示されているものはいずれも、そのような開示が特許請求の範囲に明示的に記載されているかに関わらず、公に献呈されるよう意図されるものではない。特許請求の範囲のどの要素も、その要素が「〜のための手段（means for）」という表現を使用して明確に記載されていない限り、また、方法請求項の場合には、その要素が「〜のためのステップ（step for）」という表現を使用して記載されていない限り、米国特許法第１１２条６項の規定のもとで解釈されるべきではない。
【図１】
2018523951.tif 000003
【図２Ａ】
2018523951.tif 000004
【図２Ｂ】
2018523951.tif 000005
【図２Ｃ】
2018523951.tif 000006
【図２Ｄ】
2018523951.tif 000007
【図２Ｅ】
2018523951.tif 000008
【図３】
2018523951.tif 000009
【図４Ａ】
2018523951.tif 000010
【図４Ｂ】
2018523951.tif 000011
【図５】
2018523951.tif 000012
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、
前記復号の開始に応答して、バックオフ動作を延期することと、
前記パケットが前記ＯＢＳＳの前記メンバによって送られたと決定することと、
前記プリアンブルの持続時間または前記プリアンブルの前記一部を復号するのにかかった時間に少なくとも部分的に基づいて、前記バックオフ動作の残り時間を低減することと、
前記パケットの終了前に前記バックオフ動作を再開することと
を備える方法。
【請求項２】
前記第１のデバイスによって、前記バックオフ動作の満了後に信号を送信すること
をさらに備える、請求項１に記載の方法。
【請求項３】
前記バックオフ動作は、前記パケットが前記ＯＢＳＳの前記メンバによって送られたとの前記決定からフレーム間隔後に再開される、請求項１に記載の方法。
【請求項４】
前記フレーム間隔は、アービトレイションフレーム間間隔（ＡＩＦＳ）である、請求項３に記載の方法。
【請求項５】
前記フレーム間隔は、前記バックオフが再開されるときＡＩＦＳより短い、請求項３に記載の方法。
【請求項６】
前記フレーム間隔の値および前記ＡＩＦＳの値は、アクセスクラスに基づく、請求項５に記載の方法。
【請求項７】
前記フレーム間隔は、前記パケットが前記ＯＢＳＳの前記メンバによって送られたとの前記決定の後に追加の遅延なしに前記バックオフ動作が再開することを可能にするためにゼロに設定される、請求項３に記載の方法。
【請求項８】
前記バックオフ動作の前記残り時間は、前記復号の前記開始に応答して前記バックオフ動作が延期されるとき、前記バックオフ動作を完了するために残された時間である、請求項１に記載の方法。
【請求項９】
前記パケットが前記ＯＢＳＳの前記メンバによって送られたとの前記決定に応答して、疑似ランダム時間期間を、前記バックオフ動作の残り時間に加えることをさらに備える、ここにおいて、前記バックオフ動作を再開することは、前記疑似ランダム時間期間によって修正された前記残り時間に基づいて、前記バックオフ動作を再開することを備える、
請求項１に記載の方法。
【請求項１０】
前記パケットが前記ＯＢＳＳの前記メンバによって送られたとの前記決定に応答して、前記バックオフ動作を再開するときにどのプロシージャを使用するかを識別するメッセージを第２のデバイスから受信すること
をさらに備える、請求項１に記載の方法。
【請求項１１】
前記パケットの前記プリアンブルの少なくとも前記一部を復号することは、
前記パケットの前記プリアンブル中の一意的なシーケンスを識別することと、
前記一意的なシーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を備える、請求項１に記載の方法。
【請求項１２】
前記バックオフ動作を再開することは、
前記パケットの終了まで、ワイヤレス媒体がアイドルであるかビジーであるかを決定するためにクリアチャネルアセスメント（ＣＣＡ）プロシージャを実行すること
を備える、請求項１に記載の方法。
【請求項１３】
前記パケットの前記終了前に前記バックオフ動作を再開することは、前記ＯＢＳＳパケットに関連付けられたネットワーク割振りベクトル（ＮＡＶ）の満了前に前記バックオフ動作を再開することを備える、請求項１に記載の方法。
【請求項１４】
ワイヤレス通信のための装置であって、
プロセッサと、
前記プロセッサに結合されたメモリと、
を備え、ここにおいて、前記メモリは、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、
前記復号の開始に応答して、バックオフ動作を延期することと、
前記パケットが前記ＯＢＳＳの前記メンバによって送られたと決定することと、
前記プリアンブルの持続時間または前記プリアンブルの前記一部を復号するのにかかった時間に少なくとも部分的に基づいて、前記バックオフ動作の残り時間を低減することと、
前記パケットの終了前に前記バックオフ動作を再開することと
を行うために前記プロセッサによって実行可能な命令を含む、装置。
【請求項１５】
前記命令は、
前記第１のデバイスによって、前記バックオフ動作の満了後に信号を送信すること
を行うために前記プロセッサによってさらに実行可能である、請求項１４に記載の装置。
【請求項１６】
前記バックオフ動作は、前記パケットが前記ＯＢＳＳの前記メンバによって送られたとの前記決定からフレーム間隔後に再開される、請求項１４に記載の装置。
【請求項１７】
前記フレーム間隔は、アービトレイションフレーム間間隔（ＡＩＦＳ）である、請求項１６に記載の装置。
【請求項１８】
前記フレーム間隔は、前記バックオフが再開されるときＡＩＦＳより短い、請求項１６に記載の装置。
【請求項１９】
前記フレーム間隔の値および前記ＡＩＦＳの値は、アクセスクラスに基づく、請求項１８に記載の装置。
【請求項２０】
前記フレーム間隔は、前記パケットが前記ＯＢＳＳの前記メンバによって送られたとの前記決定の後に追加の遅延なしに前記バックオフ動作が再開することを可能にするためにゼロに設定される、請求項１６に記載の装置。
【請求項２１】
前記バックオフ動作の前記残り時間は、前記復号の前記開始に応答して前記バックオフ動作が延期されるとき、前記バックオフ動作を完了するために残された時間である、請求項１４に記載の装置。
【請求項２２】
前記命令は、
前記パケットが前記ＯＢＳＳの前記メンバによって送られたとの前記決定に応答して、疑似ランダム時間期間を、前記バックオフ動作の残り時間に加えること、ここにおいて、前記バックオフ動作を再開することは、前記疑似ランダム時間期間によって修正された前記残り時間に基づいて、前記バックオフ動作を再開することを備える、
を行うために前記プロセッサによってさらに実行可能である、請求項１４に記載の装置。
【請求項２３】
前記命令は、
前記パケットが前記ＯＢＳＳの前記メンバによって送られたとの前記決定に応答して、前記バックオフ動作を再開するときにどのプロシージャを使用するかを識別するメッセージを第２のデバイスから受信すること
を行うために前記プロセッサによってさらに実行可能である、請求項１４に記載の装置。
【請求項２４】
前記パケットの前記プリアンブルの少なくとも前記一部を復号するための前記命令は、
前記パケットの前記プリアンブル中の一意的なシーケンスを識別することと、
前記一意的なシーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を行うために前記プロセッサによってさらに実行可能である、請求項１４に記載の装置。
【請求項２５】
前記バックオフ動作を再開するための前記命令は、
前記パケットの終了まで、ワイヤレス媒体がアイドルであるかビジーであるかを決定するためにクリアチャネルアセスメント（ＣＣＡ）プロシージャを実行すること
を行うために前記プロセッサによってさらに実行可能である、請求項１４に記載の装置。
【請求項２６】
前記命令は、前記ＯＢＳＳパケットに関連付けられたネットワーク割振りベクトル（ＮＡＶ）の満了前に前記バックオフ動作を再開することを行うために前記プロセッサによってさらに実行可能である、請求項１４に記載の装置。
【請求項２７】
ワイヤレス通信のための装置であって、
第１のデバイスで、パケットを受信するための手段と、
前記パケットが重複基本サービスセット（ＯＢＳＳ）のメンバによって送られたかを決定するために、前記パケットのプリアンブルの少なくとも一部を復号するための手段と、
前記復号の開始に応答して、バックオフ動作を延期するための手段と、
前記パケットが前記ＯＢＳＳの前記メンバによって送られたと決定するための手段と、
前記プリアンブルの持続時間または前記プリアンブルの前記一部を復号するのにかかった時間に少なくとも部分的に基づいて、前記バックオフ動作の残り時間を低減するための手段と、
前記パケットの終了前に前記バックオフ動作を再開するための手段と
を備える装置。
【請求項２８】
ワイヤレス通信のためのコンピュータ読取可能な媒体であって、
第１のデバイスで、パケットを受信するためのコードと、
前記パケットが重複基本サービスセット（ＯＢＳＳ）のメンバによって送られたかを決定するために、前記パケットのプリアンブルの少なくとも一部を復号するためのコード、
前記復号の開始に応答して、バックオフ動作を延期するためのコードと、
前記パケットが前記ＯＢＳＳの前記メンバによって送られたと決定するためのコードと、
前記プリアンブルの持続時間または前記プリアンブルの前記一部を復号するのにかかった時間に少なくとも部分的に基づいて、前記バックオフ動作の残り時間を低減するためのコードと、
前記パケットの終了前に前記バックオフ動作を再開するためのコードと
を備えるコンピュータ読取可能な媒体。
【請求項２９】
前記バックオフ動作の前記残り時間は、前記第１のデバイスからの送信待ちデータのタイプにさらに基づく、請求項１に記載の方法。
【請求項３０】
前記バックオフ動作の前記残り時間は、前記第１のデバイスからの送信待ちデータのタイプにさらに基づく、請求項１４に記載の装置。
【手続補正２】
【補正対象書類名】明細書
【補正対象項目名】００６９
【補正方法】変更
【補正の内容】
【００６９】
[0074]本開示の様々な態様は、当業者による本発明の実践を可能にするために提供される。本開示全体にわたって提示された実施の例に対する様々な修正は、当業者に容易に明らかになり、本明細書で開示された概念は、他の磁気記憶デバイスに拡張され得る。ゆえに、特許請求の範囲は、本開示の様々な態様に限定されるよう意図されず、特許請求の範囲の文言と合致する最も広い範囲が付与されるべきである。当業者に知られているまたは後に知られることとなる、本開示全体にわたって説明された実施の例の様々な構成要素と構造的および機能的に同等なものはすべて、参照によって本明細書に明確に組み込まれ、特許請求の範囲に包含されるよう意図されている。さらに、本明細書で開示されているものはいずれも、そのような開示が特許請求の範囲に明示的に記載されているかに関わらず、公に献呈されるよう意図されるものではない。特許請求の範囲のどの要素も、その要素が「〜のための手段（means for）」という表現を使用して明確に記載されていない限り、また、方法請求項の場合には、その要素が「〜のためのステップ（step for）」という表現を使用して記載されていない限り、米国特許法第１１２条６項の規定のもとで解釈されるべきではない。
以下に本願発明の当初の特許請求の範囲に記載された発明を付記する。
［Ｃ１］
ワイヤレス通信のための方法であって、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、
前記復号の開始に応答して、バックオフ動作を延期することと、
前記パケットが前記ＯＢＳＳの前記メンバによって送られたとの決定に応答して、前記バックオフ動作を再開することと、ここにおいて、前記バックオフ動作は、前記パケットの終了前に再開される、
を備える方法。
［Ｃ２］
前記第１のデバイスによって、前記バックオフ動作の満了後に信号を送信すること
をさらに備える、Ｃ１に記載の方法。
［Ｃ３］
前記バックオフ動作は、前記パケットが前記ＯＢＳＳの前記メンバによって送られたとの前記決定からフレーム間隔後に再開される、Ｃ１に記載の方法。
［Ｃ４］
前記フレーム間隔は、アービトレイションフレーム間間隔（ＡＩＦＳ）である、Ｃ３に記載の方法。
［Ｃ５］
前記フレーム間隔は、前記バックオフが再開されるときＡＩＦＳより短い、Ｃ３に記載の方法。
［Ｃ６］
前記フレーム間隔の値および前記ＡＩＦＳの値は、アクセスクラスに基づく、Ｃ５に記載の方法。
［Ｃ７］
前記フレーム間隔は、前記パケットが前記ＯＢＳＳの前記メンバによって送られたとの前記決定の後に追加の遅延なしに前記バックオフ動作が再開することを可能にするためにゼロに設定される、Ｃ３に記載の方法。
［Ｃ８］
前記プリアンブルの持続時間または前記プリアンブルの前記一部を復号するのにかかった時間に少なくとも部分的に基づいて、前記バックオフ動作の残り時間を低減すること
をさらに備える、Ｃ１に記載の方法。
［Ｃ９］
前記バックオフ動作の前記残り時間は、前記復号の前記開始に応答して前記バックオフ動作が延期されるとき、前記バックオフ動作を完了するために残された時間である、Ｃ８に記載の方法。
［Ｃ１０］
前記パケットが前記ＯＢＳＳの前記メンバによって送られたとの前記決定に応答して、疑似ランダム時間期間を、前記バックオフ動作の残り時間に加えることをさらに備える、ここにおいて、前記バックオフ動作を再開することは、前記疑似ランダム時間期間によって修正された前記残り時間に基づいて、前記バックオフ動作を再開することを備える、
Ｃ１に記載の方法。
［Ｃ１１］
前記パケットが前記ＯＢＳＳの前記メンバによって送られたとの前記決定に応答して、前記バックオフ動作を再開するときにどのプロシージャを使用するかを識別するメッセージを第２のデバイスから受信すること
をさらに備える、Ｃ１に記載の方法。
［Ｃ１２］
前記パケットの前記プリアンブルの少なくとも前記一部を復号することは、
前記パケットの前記プリアンブル中の一意的なシーケンスを識別することと、
前記一意的なシーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を備える、Ｃ１に記載の方法。
［Ｃ１３］
前記バックオフ動作を再開することは、
前記パケットの終了まで、ワイヤレス媒体がアイドルであるかビジーであるかを決定するためにクリアチャネルアセスメント（ＣＣＡ）プロシージャを実行すること
を備える、Ｃ１に記載の方法。
［Ｃ１４］
前記パケットの前記終了前に前記バックオフ動作を再開することは、前記ＯＢＳＳパケットに関連付けられたネットワーク割振りベクトル（ＮＡＶ）の満了前に前記バックオフ動作を再開することを備える、Ｃ１に記載の方法。
［Ｃ１５］
ワイヤレス通信のための装置であって、
プロセッサと、
前記プロセッサに結合されたメモリと、
を備え、ここにおいて、前記メモリは、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、
前記復号の開始に応答して、バックオフ動作を延期することと、
前記パケットが前記ＯＢＳＳの前記メンバによって送られたとの決定に応答して、前記バックオフ動作を再開することと、ここにおいて、前記バックオフ動作は、前記パケットの終了前に再開される、
を行うために前記プロセッサによって実行可能な命令を含む、装置。
［Ｃ１６］
前記命令は、
前記第１のデバイスによって、前記バックオフ動作の満了後に信号を送信すること
を行うために前記プロセッサによってさらに実行可能である、Ｃ１５に記載の装置。
［Ｃ１７］
前記バックオフ動作は、前記パケットが前記ＯＢＳＳの前記メンバによって送られたとの前記決定からフレーム間隔後に再開される、Ｃ１５に記載の装置。
［Ｃ１８］
前記フレーム間隔は、アービトレイションフレーム間間隔（ＡＩＦＳ）である、Ｃ１７に記載の装置。
［Ｃ１９］
前記フレーム間隔は、前記バックオフが再開されるときＡＩＦＳより短い、Ｃ１７に記載の装置。
［Ｃ２０］
前記フレーム間隔の値および前記ＡＩＦＳの値は、アクセスクラスに基づく、Ｃ１９に記載の装置。
［Ｃ２１］
前記フレーム間隔は、前記パケットが前記ＯＢＳＳの前記メンバによって送られたとの前記決定の後に追加の遅延なしに前記バックオフ動作が再開することを可能にするためにゼロに設定される、Ｃ１７に記載の装置。
［Ｃ２２］
前記命令は、
前記プリアンブルの持続時間または前記プリアンブルの前記一部を復号するのにかかった時間に少なくとも部分的に基づいて、前記バックオフ動作の残り時間を低減すること
を行うために前記プロセッサによってさらに実行可能である、Ｃ１５に記載の装置。
［Ｃ２３］
前記バックオフ動作の前記残り時間は、前記復号の前記開始に応答して前記バックオフ動作が延期されるとき、前記バックオフ動作を完了するために残された時間である、Ｃ２２に記載の装置。
［Ｃ２４］
前記命令は、
前記パケットが前記ＯＢＳＳの前記メンバによって送られたとの前記決定に応答して、疑似ランダム時間期間を、前記バックオフ動作の残り時間に加えること、ここにおいて、前記バックオフ動作を再開することは、前記疑似ランダム時間期間によって修正された前記残り時間に基づいて、前記バックオフ動作を再開することを備える、
を行うために前記プロセッサによってさらに実行可能である、Ｃ１５に記載の装置。
［Ｃ２５］
前記命令は、
前記パケットが前記ＯＢＳＳの前記メンバによって送られたとの前記決定に応答して、前記バックオフ動作を再開するときにどのプロシージャを使用するかを識別するメッセージを第２のデバイスから受信すること
を行うために前記プロセッサによってさらに実行可能である、Ｃ１５に記載の装置。
［Ｃ２６］
前記パケットの前記プリアンブルの少なくとも前記一部を復号するための前記命令は、
前記パケットの前記プリアンブル中の一意的なシーケンスを識別することと、
前記一意的なシーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を行うために前記プロセッサによってさらに実行可能である、Ｃ１５に記載の装置。
［Ｃ２７］
前記バックオフ動作を再開するための前記命令は、
前記パケットの終了まで、ワイヤレス媒体がアイドルであるかビジーであるかを決定するためにクリアチャネルアセスメント（ＣＣＡ）プロシージャを実行すること
を行うために前記プロセッサによってさらに実行可能である、Ｃ１５に記載の装置。
［Ｃ２８］
前記命令は、前記ＯＢＳＳパケットに関連付けられたネットワーク割振りベクトル（ＮＡＶ）の満了前に前記バックオフ動作を再開することを行うために前記プロセッサによってさらに実行可能である、Ｃ１５に記載の装置。
［Ｃ２９］
ワイヤレス通信のための装置であって、
第１のデバイスで、パケットを受信するための手段と、
前記パケットが重複基本サービスセット（ＯＢＳＳ）のメンバによって送られたかを決定するために、前記パケットのプリアンブルの少なくとも一部を復号するための手段と、
前記復号の開始に応答して、バックオフ動作を延期するための手段と、
前記パケットが前記ＯＢＳＳの前記メンバによって送られたとの決定に応答して前記バックオフ動作を再開するための手段と、ここにおいて、前記バックオフ動作は、前記パケットの終了前に再開される、
を備える装置。
［Ｃ３０］
ワイヤレス通信のためのコンピュータ読取可能な媒体であって、
第１のデバイスで、パケットを受信するためのコードと、
前記パケットが重複基本サービスセット（ＯＢＳＳ）のメンバによって送られたかを決定するために、前記パケットのプリアンブルの少なくとも一部を復号するためのコード、
前記復号の開始に応答して、バックオフ動作を延期するためのコードと、
前記パケットが前記ＯＢＳＳの前記メンバによって送られたとの決定に応答して、前記バックオフ動作を再開するためのコードと、ここにおいて、前記バックオフ動作は、前記パケットの終了前に再開される、
を備えるコンピュータ読取可能な媒体。
【国際調査報告】
2018523951.tif 000013
2018523951.tif 000014
2018523951.tif 000015